(57)【要約】      （修正有）【課題】重ね合わせ後に結合されることで堅固な重ね合わせ効果を達成させるカップ構造を提供する。【解決手段】本体１を有し、本体は中空状を呈すると共に直立する場合はカップ口１２が上を向く容器本体を具備し、且つカップ口にはカップ口内の一側が内に向けて突出される縁端部１３を有する。本体の外周に沿って凹溝部１５を有し、本体は溝部の上に位置する部分１６の外径がカップ口の口径より大きく、且つ本体は溝部の下に位置する部分１７の外径がカップ口の口径より小さい。２つの本体は、一方が上に位置し、且つ他方が下に位置し、前者はその溝部の下に位置する部分が後者のカップ口に納入され、且つ後者はカップ口の縁端部が前者底部１４の溝部内に係合されて結合される。【選択図】図２
0003199994.tif 000002
【実用新案登録請求の範囲】
【請求項１】
本体を有し、前記本体中空状を呈すると共に直立する場合はカップ口が上を向く容器本体を具備し、且つカップ口には縁端部を有し、前記縁端部は前記カップ口内の一側が内に向けて突出され、前記本体は本体の高さと等しい箇所に前記本体の外周に沿って凹溝部を有し、前記本体は前記溝部の上に位置する部分の外径が前記カップ口の口径より大きく、且つ前記本体は前記溝部の下に位置する部分の外径が前記カップ口の口径より小さく、また、２つの前記本体は、一方が前に位置し、他方が後に位置し、前者はその溝部の下に位置する部分が後者のカップ口に納入され、且つ後者はカップ口の縁端部が前者底部の溝部内に係合されて結合されることを特徴とするカップ構造。
【請求項２】
前記溝部は前記本体の底部に位置し、且つ前記本体の外径は前記溝部の上方から前記溝部の下方に向けて漸縮されることを特徴とする、請求項１記載のカップ構造。
【請求項３】
上端に座部を有する支持柱を具備する足部を更に備え、前記座部は凹状を呈すると共にカップ口を有し、且つ前記座部はカップ口に縁端部を有し、前記座部及び前記本体の両者のカップ口及び縁端部の構造は同じであり、前記本体の底部が前記座部のカップ口に納入され、且つ座部のカップ口の縁端部が前記本体の底部の溝部内に係合されて結合されることを特徴とする、請求項２記載のカップ構造。
【請求項４】
前記溝部は前記本体のくびれ部に位置し、且つ前記本体の外径は前記溝部の上方から前記溝部の下方に向けて漸縮されることを特徴とする、請求項１記載のカップ構造。
【請求項５】
前記本体の材質はポリエチレンテレフタレートであることを特徴とする、請求項１記載のカップ構造。
【考案の詳細な説明】
【技術分野】
【０００１】
本考案は、結合されて重ね合わされるカップ体に関する。
【背景技術】
【０００２】
従来のカップ構造は、通常は本体に容器本体が内設され、使用者は飲料をカップ口から前記容器本体内に注ぎ、飲用時に前記本体を持ち上げてカップの縁に口をつけ、飲料を口に流し込む。飲用後は重ね合わせれば収納するための空間を節約できる。
【０００３】
図１１には従来のカップ構造を示す。本体９１のカップ口９２が底部９３より大きく、故に収納時には、前記本体９１の底部９３を他の本体９１のカップ口９２から納入することで、重ね合わせて収納できる。この形態による本体９１は相互に重なり合う部分が多いため、重ね合わせが堅固になる。
【０００４】
なお、図１２には他の従来のカップ構造を図示する。本体９４はカップ口９５を有し、前記本体９４の外径はほぼ同じ大きさであるが、但し底部９６はテーパ状を呈する。よって、前記本体９４を底部９６から他の本体９４のカップ口９５に入れる場合、各前記カップ体９４の高さが高くないため、底部９６がカップ口９５内に収納される部分が多くなく、相互に重ね合わされる部分が少なくなり、前者に比べて重ね合わせが堅固にならない。
【０００５】
また、図１３にはさらに他の従来のカップ構造を示す。本体９７はカップ口９８を有し、前記本体９７の外径の上部から底部の間の幅が広く、且つ前記カップ口９８が底部９９よりやや大きいため、前記本体９７は底部９９から他の本体９７のカップ口９８に入れられる。
【考案の概要】
【考案が解決しようとする課題】
【０００６】
しかしながら、前述した従来のカップ構造では、各前記カップ体９７の高さが高く、且つ底部９９がカップ口９８内に収納される部分が多くないため、相互に重ね合わされる部分が少なくなる。故に、重ね合わせ時に前述の両者に比べると、堅固性で最も劣る。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものであり、その目的とすることろは、カップ構造を提供することを主目的とする。すなわち、重ね合わせ後に結合されることで堅固な重ね合わせ効果を達成させる。
【０００９】
本考案の他の目的は、カップ体を足部に結合させてロングステムグラスを構成し、カップ体の変形効果を実現することである。
【課題を解決するための手段】
【００１０】
上述した課題を解決し、上記目的を達成するための本考案は、本体を有し、前記本体が中空状を呈すると共に直立する場合はカップ口が上を向く容器本体を具備し、且つカップ口には縁端部を有し、前記縁端部は前記カップ口内の一側が内に向けて突出され、前記本体は本体の高さと等しい箇所に前記本体の外周に沿って凹む溝部を有し、前記本体は前記溝部の上に位置する部分の外径が前記カップ口の口径より大きく、且つ前記本体は前記溝部の下に位置する部分の外径が前記カップ口の口径より小さく、また、２つの前記本体は、一方が前に位置し、他方が後に位置し、前者はその溝部の下に位置する部分が後者のカップ口に収納され、且つ後者はカップ口の縁端部が前者底部の溝部内に係合されて結合されることを特徴とするカップ構造である。
【００１１】
請求項２に記載のカップ構造は請求項１において、前記溝部は前記本体の底部に位置し、且つ前記本体の外径は前記溝部の上方から前記溝部の下方に向けて漸縮される。
【００１２】
請求項３に記載のカップ構造は請求項２において、上端に座部を有する支持柱を具備する足部を更に備え、前記座部は凹状を呈すると共にカップ口を有し、且つ前記座部はカップ口に縁端部を有し、前記座部及び前記本体の両者のカップ口及び縁端部の構造は同じであり、前記本体の底部が前記座部のカップ口に収納され、且つ座部のカップ口の縁端部が前記本体の底部の溝部内に係合されて結合される。
【００１３】
請求項４に記載のカップ構造は請求項１において、前記溝部は前記本体のくびれ部に位置し、且つ前記本体の外径は前記溝部の上方から前記溝部の下方に向けて漸縮される。
【００１４】
請求項５に記載のカップ構造は請求項１において、前記本体の材質はポリエチレンテレフタレートである。
【図面の簡単な説明】
【００１５】
【図１】本考案の第１実施形態によるカップ構造を示す外観斜視図である。
【図２】本考案の第１実施形態によるカップ構造を示す外平面構成図である。
【図３】本考案の第１実施形態の本体が上部の縁端部にある部分の拡大図である。
【図４】本考案の第１実施形態の本体が底部の溝部にある部分の拡大図である。
【図５】本考案の第１実施形態の二つのカップ本体が上下に重ね合わされる外観斜視図である。
【図６】本考案の第１実施形態の二つのカップ本体を上下に重ね合わせする際における、結合箇所の部分の拡大の断面図である。
【図７】本考案の第２実施形態によるカップ構造及び足部を示す解体の展開図である。
【図８】本考案の第２実施形態によるカップ構造及び足部の結合を示す外観斜視図である。
【図９】本考案の第３実施形態によるカップ構造を示す外平面構成図である。
【図１０】本考案の第３実施形態の二つのカップ本体が上下に積層する外観斜視図である。
【図１１】従来のカップ構造が上下に重ね合わされる断面図である。
【図１２】従来の他のカップ構造が上下に重ね合わされる断面図である。
【図１３】従来のさらなる他のカップ構造が上下に重ね合わされる断面図である。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
＜第１実施形態＞
まず、第１実施形態を図１〜６に基づいて説明する。本考案のカップ構造は、図１乃至図２に示すように、ワイングラスであり、中空状を呈すると共に容器本体１１を具備する本体１を有し、容器本体１１は前記本体１が直立する際に上を向くカップ口１２を有する。前記本体１はその上部のカップ口１２の箇所に縁端部１３を有し、前記縁端部１３は前記カップ口１２内の一側が内に向けて突出される(図３参照)。前記本体１はその底部１４が等しい高さの箇所に前記本体１の外周に沿って凹溝部１５を有する(図４参照)。前記本体１は前記溝部１５の上に位置する部分１６の外径が前記カップ口１２の口径より大きく、且つ前記本体１は前記溝部１５の下に位置する部分１７の外径が前記カップ口１２の口径より小さい。この好ましい実施態様において、前記本体１の外径は前記溝部１５の上方から前記溝部１５の下方に向けて漸縮される。また、本実施形態による本体１の材質はポリエチレンテレフタレート（Polyethylene terephthalate、PET）である。
【００１８】
他の本体２が前記本体１に収納される場合（図５及び図６参照）、本体２及び前記本体１の構造は同じであり、同様に容器本体２１、カップ口２２、縁端部２３、底部２４、及び溝部２５を有する。これにより、本体２が上になり前記本体１が下になり(つまりは、本体２が前記本体１の前に位置し、而前記本体１が本体２の後に位置する)、上の本体２はその底部２４が前記溝部１５の下に位置する部分１７から下の本体１のカップ口１２に納入され、且つ下の本体１は前記カップ口１２の箇所の縁端部１３が上の本体２の底部２４の溝部２５内に係合されて結合され、各本体１及び本体２が上下に係合されて重ね合わされる。
【００１９】
上述の説明から分かるように、本考案の長所は、本考案に係るカップ構造の収納時には、上述の実施形態の本体１及び本体２は高さが高く、且つ上に位置する本体２の底部２４が下の本体１のカップ口１２に収納される部分が多くない。但し、構造が同じである本体１及び本体２は、相互に重ね合わされる際に下に位置する本体１の前記カップ口１２の箇所の縁端部１３が上に位置する本体２の底部２４の溝部２５内に係合されることで結合され、従来のカップ構造のように一方の底部が他方のカップ口に単純に入れられるだけで堅固性に問題が起こるようなことが無い。このため、本考案に係るカップ構造が重ね合わされる際に、好ましい堅固な重ね合わせ效果を有する。     
【００２０】
＜第２実施形態＞
当然ながら、本考案には多くの実施形態が存在するが、その間には細部の変化が存在するのみである。図７及び図８は本考案の第２実施形態である。換言すれば、本実施形態は第１実施形態に係るカップ構造を基礎に、支持柱３１を有する足部３を更に備え、且つ前記支持柱３１の上端には座部３２を有し、前記座部３２は凹状を呈すると共にカップ口３３を具備し、前記カップ口３３の構造は第１実施形態のカップ口１２及びカップ口２２と同じである。また、前記座部３２は前記カップ口３３内の一側が内に向けて突出される縁端部３４を有し、前記縁端部３４の構造は第１実施形態の縁端部１３と同じである。前記本体１の底部１４が前記座部３２のカップ口３３に納入され、且つ前記座部３２のカップ口３３の箇所の縁端部３４が前記本体１の底部１４の溝部１５内に係合されると、前記本体１が足部３に結合され、結合後にロングステムグラスとなる。これにより、カップ体の形態が変化する。
【００２１】
＜第３実施形態＞
図９及び図１０は本考案の第３実施形態である。本実施形態の本体４はビールジョッキであり、第１実施形態による本体と構造が相似する部分は、前記本体４が同様に容器本体４１及びカップ口４２を有し、且つ前記カップ口４２が縁端部４３を有する部分である。しかし、第１実施形態との主要な差異は、前記本体４のくびれ部４４は溝部４５を有し、他の前記本体４の外径は第１実施形態による本体１と同じになり、即ち、前記本体４の外径は前記溝部４５の上方から前記溝部４５の下方に向けて漸縮する。なお、本実施形態の本体４及び同じ構造の本体５は第１実施形態による本体１及び本体２の上下の結合のように、第１実施形態と同様の効果を達成させる（図１０参照）。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
９１本体
９２カップ口
９３底部
９４本体
９５カップ口
９６底部
９７本体
９８カップ口
９９底部
（本考案の部分）
１本体
１１容器本体
１２カップ口
１３縁端部
１４底部
１５溝部
１６上に位置する部分
１７下に位置する部分
２本体
２１容器本体
２２カップ口
２３縁端部
２４底部
２５溝部
３足部
３１支持柱
３２座部
３３カップ口
３４縁端部
４本体
４１容器本体
４２カップ口
４３縁端部
４４くびれ部
４５溝部
５本体
【図１】
0003199994.tif 000003
【図２】
0003199994.tif 000004
【図３】
0003199994.tif 000005
【図４】
0003199994.tif 000006
【図５】
0003199994.tif 000007
【図６】
0003199994.tif 000008
【図７】
0003199994.tif 000009
【図８】
0003199994.tif 000010
【図９】
0003199994.tif 000011
【図１０】
0003199994.tif 000012
【図１１】
0003199994.tif 000013
【図１２】
0003199994.tif 000014
【図１３】
0003199994.tif 000015
【手続補正書】
【提出日】平成27年7月17日(2015.7.17)
【手続補正１】
【補正対象書類名】実用新案登録請求の範囲
【補正対象項目名】全文
【補正方法】変更
【補正の内容】
【実用新案登録請求の範囲】
【請求項１】
本体を有し、前記本体中空状を呈すると共に直立する場合はカップ口が上を向く容器本
体を具備し、且つカップ口には縁端部を有し、前記縁端部は前記カップ口内の一側が内に
向けて突出され、前記本体は外周に沿って凹溝部を有し、前記本体は前記溝部の上に位置
する部分の外径が前記カップ口の口径より大きく、
且つ前記本体は前記溝部の下に位置する部分の外径が前記カップ口の口径より小さく、ま
た、２つの前記本体は、一方が上に位置し、他方が下に位置し、前者はその溝部の下に位
置する部分が後者のカップ口に納入され、且つ後者はカップ口の縁端部が前者底部の溝部
内に係合されて結合されることを特徴とするカップ構造。
【請求項２】
前記溝部は前記本体の底部に位置し、且つ前記本体の外径は前記溝部の上方から前記溝
部の下方に向けて漸縮されることを特徴とする、請求項１記載のカップ構造。
【請求項３】
上端に座部を有する支持柱を具備する足部を更に備え、前記座部は凹状を呈すると共に
カップ口を有し、且つ前記座部はカップ口に縁端部を有し、前記座部及び前記本体の両者
のカップ口及び縁端部の構造は同じであり、前記本体の底部が前記座部のカップ口に納入
され、且つ座部のカップ口の縁端部が前記本体の底部の溝部内に係合されて結合されるこ
とを特徴とする、請求項２記載のカップ構造。
【請求項４】
前記溝部は前記本体のくびれ部に位置し、且つ前記本体の外径は前記溝部の上方から前
記溝部の下方に向けて漸縮されることを特徴とする、請求項１記載のカップ構造。
【請求項５】
前記本体の材質はポリエチレンテレフタレートであることを特徴とする、請求項１記載
のカップ構造。
【手続補正２】
【補正対象書類名】明細書
【補正対象項目名】００１０
【補正方法】変更
【補正の内容】
【００１０】
上述した課題を解決し、上記目的を達成するための本考案は、本体を有し、前記本体中空状を呈すると共に直立する場合はカップ口が上を向ける容器本体を具備し、且つカップ口には縁端部を有し、前記縁端部は前記カップ口内の一側が内に向けて突出され、前記本体は外周に沿って凹む溝部を有し、前記本体は前記溝部の上に位置する部分の外径が前記カップ口の口径より大きく、且つ前記本体は前記溝部の下に位置する部分の外径が前記カップ口の口径より小さく、また、２つの前記本体は、一方が上に位置し、他方が下に位置し、前者はその溝部の下に位置する部分が後者のカップ口に納入され、且つ後者はカップ口の縁端部が前者底部の溝部内に係合されて結合されることを特徴とするカップ構造。